(57)【要約】【課題】発光強度の面内均一性及び色再現性が高い小型化・薄型化に好適な照明装置、並びにそのような照明装置を搭載した電子機器を提供する。【解決手段】平板状の導光板１２と、導光板１２の側面に設けられ、側面から導光板１２内に光を入射する光源１４と、導光板１２の一の表面上に配置されたレンズシート１６とを有する。導光板１２は、一の表面に、光源１４から発せられて導光板１２内を伝搬する光を、表面に対して全反射臨界角より大きい角度で反射するプリズム１８を有するレンズシート１６は、プリズム１８によって反射され導光板１２から出射された前記光を、一旦集光してから発散する。【選択図】図１
2010034017.tif 000002
【特許請求の範囲】
【請求項１】
平板状の導光板と、
前記導光板の側面に設けられ、前記側面から前記導光板内に光を入射する光源と、
前記導光板の一の表面上に配置されたレンズシートとを有し、
前記導光板は、一の表面に、前記光源から発せられて前記導光板内を伝搬する前記光を、前記表面に対して全反射臨界角より大きい角度で反射するプリズムを有し、
前記レンズシートは、前記プリズムによって反射され前記導光板から出射された前記光を、一旦集光してから発散する
ことを特徴とする照明装置。
【請求項２】
請求項１記載の照明装置において、
前記レンズシートは、前記導光板の第１の表面上に配置され、
前記プリズムは、前記第１の表面と対向する前記導光板の第２の表面に形成されている
ことを特徴とする照明装置。
【請求項３】
請求項１又は２記載の照明装置において、
前記プリズムは、前記光源から発せられた前記光の伝搬方向に対して交差する方向の溝によって形成されており、前記伝搬方向から入射した前記光を選択的に反射する
ことを特徴とする照明装置。
【請求項４】
請求項３記載の照明装置において、
前記光の前記伝搬方向が異なる複数の前記光源を有し、
前記プリズムは、複数の前記光源に対応した複数の領域を有し、複数の前記領域のそれぞれが、対応する前記光源から発せられた前記光を選択的に反射する
ことを特徴とする照明装置。
【請求項５】
請求項４記載の照明装置において、
複数の前記光源の発光色及び／又は点滅のタイミングを制御する制御回路を更に有する
ことを特徴とする照明装置。
【請求項６】
平面状の発光面を有する光源と、
前記光源上に形成された第１のレンズシートと、
前記第１のレンズシート上に形成された第２のレンズシートとを有し、
前記第１のレンズシートに形成されたレンズ構造体の配列に対して、前記第２のレンズシートに形成されたレンズ構造体の配列がずれるように、前記第１のレンズシートと前記第２のレンズシートとが重ね合わされている
ことを特徴とする照明装置。
【請求項７】
平板状の導光板と、前記導光板の側面に設けられ、前記側面から前記導光板内に光を入射する光源と、前記導光板の一の表面上に配置されたレンズシートとを有し、前記導光板は、一の表面に、前記光源から発せられて前記導光板内を伝搬する前記光を、前記表面に対して全反射臨界角より大きい角度で反射するプリズムを有し、前記レンズシートは、前記プリズムによって反射され前記導光板から出射された前記光を、一旦集光してから発散する照明装置と、
前記照明装置の前記光源の発光色及び／又は点滅のタイミングを制御する制御回路と
を有することを特徴とする電子機器。
【発明の詳細な説明】
【技術分野】
【０００１】
本発明は、照明装置及び照明装置を備えた電子機器に関する。
【背景技術】
【０００２】
携帯電話機や携帯情報端末（ＰＤＡ：Personal Digital Assistant）などの小型電子機器では、光をインターフェースの一つとして捉え、様々な発光パターンを発生する照明装置を用いることがある。
【０００３】
例えば、このような照明装置を携帯電話機に搭載される電話や電子メールの着信を知らせるための照明装置に適用することにより、着信を知らせるという本来の機能に加え、外装の一部を光らせることによる装飾的効果をも発揮することができる。
【０００４】
小型電子機器用の照明装置としては、発光ダイオード（ＬＥＤ：Light Emitting Diode）の発光面を電子機器の外装方向に向けて配置する構成としたものが一般的である。
【特許文献１】特開２００４−１１１１７０号公報
【特許文献２】特開２００５−１３５８４３号公報
【特許文献３】特開２００５−２４３４５２号公報
【発明の開示】
【発明が解決しようとする課題】
【０００５】
しかしながら、上記従来の照明装置では、電子機器の小型・薄型化に伴い、発光強度の分布が不均一になったり、色分離によって所望の色を再現できなくなることがあった。
【０００６】
本発明の目的は、発光強度の面内均一性及び色再現性が高く、小型化・薄型化に好適な照明装置を提供することにある。また、本発明の他の目的は、そのような照明装置を搭載した電子機器を提供することにある。
【課題を解決するための手段】
【０００７】
実施形態の一観点によれば、平板状の導光板と、前記導光板の側面に設けられ、前記側面から前記導光板内に光を入射する光源と、前記導光板の一の表面上に配置されたレンズシートとを有し、前記導光板は、一の表面に、前記光源から発せられて前記導光板内を伝搬する前記光を、前記表面に対して全反射臨界角より大きい角度で反射するプリズムを有し、前記レンズシートは、前記プリズムによって反射され前記導光板から出射された前記光を、一旦集光してから発散する照明装置が提供される。
【０００８】
また、実施形態の他の観点によれば、平面状の発光面を有する光源と、前記光源上に形成された第１のレンズシートと、前記第１のレンズシート状に形成された第２のレンズシートとを有し、前記第１のレンズシートに形成されたレンズ構造体の配列に対して、前記第２のレンズシートに形成されたレンズ構造体の配列がずれるように、前記第１のレンズシートと前記第２のレンズシートとが重ね合わされている照明装置が提供される。
【０００９】
また、実施形態の更に他の観点によれば、平板状の導光板と、前記導光板の側面に設けられ、前記側面から前記導光板内に光を入射する光源と、前記導光板の一の表面上に配置されたレンズシートとを有し、前記導光板は、一の表面に、前記光源から発せられて前記導光板内を伝搬する前記光を、前記表面に対して全反射臨界角より大きい角度で反射するプリズムを有し、前記レンズシートは、前記プリズムによって反射され前記導光板から出射された前記光を、一旦集光してから発散する照明装置と、前記照明装置の前記光源の発光色及び／又は点滅のタイミングを制御する制御回路とを有する電子機器が提供される。
【発明の効果】
【００１０】
開示の照明装置によれば、導光板の側面から入射した光をプリズムによって導光板の表面から出射するので、光源から発せられた光が導光板から出射されるまでの距離を十分に長くすることができる。これにより、発光強度の面内の均一性及び色再現性を向上することができる。また、導光板の光の出射面に、光を一旦集光した後に発散させるレンズシートを設けることにより、出射される光の視認範囲を広げることができ、発光領域の全体を人の目によって認識することができる。
【００１１】
また、開示の電子機器によれば、照明装置の発光強度の面内均一性及び色表現性を向上しつつ、小型化・薄型化を図ることができる。また、照明装置の発光領域や色彩を任意に設定することができるため、様々な発光パターンを実現することができ、インターフェースとしての役割やデザイン性を向上することができる。
【発明を実施するための最良の形態】
【００１２】
［第１実施形態］
第１実施形態による照明装置及びその駆動方法について図１乃至図２０を用いて説明する。
【００１３】
図１は、本実施形態による照明装置の構造を示す斜視図である。図２及び図３は、本実施形態による照明装置のレンズシートの構造を示す斜視図である。図４は、本実施形態による照明装置のプリズムの構造を示す図である。図５乃至図７は、本実施形態による照明装置の動作を説明する図である。図８及び図９は、他の照明装置の構造を示す断面図及び平面図である。図１０は、本実施形態の変形例による照明装置の構造を示す斜視図である。図１１乃至図２０は、本実施形態による照明装置の駆動例を示す図である。
【００１４】
はじめに、本実施形態による照明装置の構造について図１乃至図７を用いて説明する。
【００１５】
本実施形態の照明装置１０は、平板状の導光板１２を有している。導光板１２は、対向する２つの表面と、複数の側面とを有している。導光板１２の一側面には、複数の発光ダイオード（ＬＥＤ：Light Emitting Diode）１４が設けられている。導光板１２の一方の表面上には、レンズシート１６が配置されている。レンズシート１６が設けられた導光板１２の当該一方の表面側が、本実施形態による照明装置の発光面である。導光板１２の他方の表面部には、プリズム１８が設けられている。ＬＥＤ１４には、ＬＥＤ１４の発光を制御するための制御回路２０が接続されている。
【００１６】
ＬＥＤ１４は、発せられた光が導光板１２内に導入されるように、その発光面が導光板１２の当該一側面と対向するように配置されている。ＬＥＤ１４は、特に限定されるものではなく、単色のＬＥＤであってもよいし、ＲＧＢ一体型のＬＥＤであってもよい。また、本実施形態では、代表的な光源としてＬＥＤを例にして説明するが、使用する光源は、ＬＥＤに限定されるものではない。例えば、ＬＥＤに代えて、小型ランプ、有機エレクトロルミネッセンス（ＥＬ）素子等を用いてもよい。
【００１７】
レンズシート１６は、特に限定されるものではないが、光を一旦集光した後に発散させるものが望ましい。光を一旦集光した後に発散させるレンズシート１６を設けることにより、照明装置１０から出射される光の視認範囲を広げることができ、発光領域の全体を人の目によって認識することができる。このようなレンズシートとしては、複数のレンズ構造体が周期的に配列されたレンズアレイシートを適用することができる。例えば、球面状のマイクロレンズ１６ａが格子状に配列されたマイクロレンズアレイシート（図２（ａ）及び図３（ａ）を参照）や、複数のシリンドリカルレンズ１６ｂが平行に配列されたレンチキュラレンズシート（図２（ｂ）及び図３（ｂ）を参照）が好ましい。レンチキュラレンズシートの場合にあっては、シリンドリカルレンズ１６ｂの尾根の延伸方向がＬＥＤ１４から発せられた光の伝搬方向に対して平行になるように配置される。
【００１８】
レンズシートは、図２（ａ）及び図２（ｂ）に示すように、レンズシート１６の平坦な面が導光板１２側に向くように配置してもよいし、図３（ａ）及び図３（ｂ）に示すように、レンズシート１６のレンズの凹凸面が導光板１２側に向くように配置してもよい。レンチキュラレンズの場合、図３（ｂ）に示す配置とすることにより、光の伝搬の直進性を増すことができる。これにより、導光板１２内における光の伝搬方向の長さを長くしても、発光幅の広がりを抑えることが可能となる。
【００１９】
プリズム１８は、例えば図４（ａ）に示すように、導光板１２の当該他方の表面部に設けられた複数の溝２２により形成される。複数の溝２２は、ＬＥＤ１４から発せられた光の伝搬方向に対して交差する方向に延在して設けられている。例えば、図４（ａ）に示すように、導光板１２のＬＥＤ１４が設けられた側面に対して平行な方向に延在する複数の溝２２を配置する。それぞれの溝２２は、例えば図４（ｂ）に示すように、ＬＥＤ１４が設けられた側面側の斜面２２ａの斜度が、当該側面と対向する側の斜面２２ｂの斜度よりも緩やかなＶ字型を有している。
【００２０】
図５に示すように、導光板１２内を伝搬してプリズム１８に入射した光線のうち、プリズム１８の斜面２２ａに対して全反射条件を満たす光線（例えば、光線２６ａ、図中、実線で表す）は、プリズム１８の斜面２２ａによって全反射される。プリズム１８の斜面２２ａによって全反射された光のうち、当該一方の表面に対して全反射臨界角よりも大きく、全反射条件を満たす角度で入射した光は、導光板１２の当該一方の表面側から出射される。当該導光板の一方の表面側から出射する光のうち、人の目に入射した光のみが、人は明るいと感じることができ、有効な光となる。
【００２１】
一方、プリズム１８の斜面２２ａに対して全反射条件を満たしていない光線（例えば、光線２６ｂ、図中、点線で表す）は、プリズム１８の斜面２２ａを透過し、導光板１２のプリズム１８形成面側から出射され、有効な光とはならない。更に、導光板１２の当該一方の表面側から出射されたひかりのうち、人の目に入射しない光は、人は光を感じることができないため、全反射条件を満たさない光と同様に有効な光とはならない。
【００２２】
よって、導光板１２の表面から光が出ていても、人の目に光線が入る導光板の位置は明るく、人の目に光線が入らない導光板の位置は暗く感じる。導光板１２内を伝搬する光のうちより多くの光が全反射条件を満たして導光板の当該一方の表面側から出射し、人の目に入射する観点から、導光板１２の表面に対するプリズム１８の斜面２２ａの斜度αは、４０〜５５度の角度に設定することが望ましい。一方、斜面２２ｂの斜度βは、斜面αと同角度又は製造時の容易性から最大９０度程度であることが望ましい。
【００２３】
制御回路２０は、ＬＥＤ１４を点灯・消灯し、ＲＧＢ一体型のＬＥＤを用いる場合にあっては発光色の制御を行うものである。制御回路２０により、ＬＥＤ１４の発光タイミングや発光色を制御することができる。複数のＬＥＤ１４は、一括制御してもよいし、個別に制御してもよい。また、複数のＬＥＤ１４を順次点灯・消灯するなど、発光・消灯のタイミングを制御するようにしてもよい。
【００２４】
次に、本実施形態による照明装置の動作について図１乃至図７を用いて説明する。
【００２５】
まず、制御回路２０により、所望のＬＥＤ１４を点灯する。ＬＥＤ１４から発せられた光は、導光板１２内に導入され、導光板１２内で全反射を繰り返しながら、ＬＥＤ１４が設けられた側面と対向する側面に向かって伝搬する。
【００２６】
この過程で、光の一部は、プリズム１８に入射する。図５に示すように、導光板１２内を伝搬してプリズム１８に入射した光線のうち、プリズム１８の斜面２２ａに対して全反射条件を満たす光線（光線２６ａ）は、プリズム１８の斜面２２ａによって全反射される。プリズム１８に反射された光は、導光板１２の表面に対して垂直な方向に近い方向に伝搬し、導光板１２から出射する。導光板１２から出射した光のうち、人の目に入射した光が有効な光として使用される。一方、プリズム１８の斜面２２ａに対して全反射条件を満たしていない光線（光線２６ｂ）は、プリズム１８の斜面２２ａを透過し、導光板１２のプリズム１８形成面側から出射され、有効な光として使用されない。更に、プリズム１８の斜面２２ａによって全反射され、導光板１２から出射した光のうち、人の目に入射しない光は、有効な光として使用されない（図６参照）。
【００２７】
導光板１２から出射された光のほとんどは、レンズシート１６に入射する。レンズシート１６に入射した光は、レンズシート１６の種類に応じたレンズ効果により、広げられる。レンズシートにより広げられることにより、各位置で光が広げられ、光が重なり合い目に入射することになる。よって、これまで人の目に入らなかった位置からの光線が人の目に入るようになり全面が明るく感じることが可能となる（図７参照）。
【００２８】
例えば、レンズシート１６としてマイクロレンズアレイシートを用いた場合、導光板１２から出射された光は、マイクロレンズアレイのレンズ効果により回転対称の光に変換される（図２（ａ）及び図３（ａ）参照）。これにより、導光板１２から出た光は指向性を持たず、ＬＥＤ光の伝搬方向及び当該伝搬方向の垂直方向の双方に対して広がりを持った光に変換することができる。
【００２９】
また、レンズシート１６としてレンチキュラレンズシートを用いた場合、導光板１２から出射した光は、レンチキュラレンズのレンズ効果により、異方性の光に変換される。すなわち、レンズシート１６に入射した光は、レンチキュラレンズの尾根の延伸方向に対して垂直な方向にのみ広げられる（図２（ｂ）及び図３（ｂ）参照）。ＬＥＤ１４から発せられる光は発散光であるため、マイクロアレイレンズシートを用いた場合と同等の効果が得られる。
【００３０】
別の照明装置としては、例えば図８及び図９に示すような構造が考えられる。図８（ａ）及び図９（ａ）は照明装置の断面構造を示す断面図であり、図８（ｂ）及び図９（ｂ）は電子部品を外部から見たときの発光状態を示す平面図である。
【００３１】
図８の照明装置は、電子機器の外装部品２４の内側に接してＬＥＤ１４の発光面を配置したものである。ＬＥＤ１４から発せられた光は、外装部品２４内を伝搬した後に出射される。この照明装置の場合、ＬＥＤ１４から発せられた光は、外装部品２４内を伝搬する過程で横方向に広がる。しかしながら、電子機器の小型・薄型化等に伴い外装部品２４の肉厚さが薄くなるにつれ、横方向の広がりを十分に得られなくなる。その結果、外装部品の表面側から見ると、例えば図８（ｂ）に示すように、発光強度に分布ムラが生じる。
【００３２】
図９の照明装置は、図８の照明装置と同様の構造において、ＲＧＢ一体型のＬＥＤ１４を用いた例である。ＬＥＤ１４としてＲＧＢ一体型のＬＥＤを用いる場合にあっては、例えば図９（ａ）及び図９（ｂ）に示すように、各色の光が十分に混じり合う前に外装部品２４から出射されてしまう。この結果、所望の色表現が困難となる。
【００３３】
これに対し、本実施形態による照明装置では、ＬＥＤ１４から発せられた光を導光板１２の表面に対して平行な方向に伝搬した後、プリズム１８により反射された光を導光板１２の表面から垂直方向に出射する。このため、図８及び図９の照明装置と比較して、ＬＥＤ１４から発せられた光が導光板１２から出射されるまでの距離が長くなる。
【００３４】
したがって、導光板１２から出射されるまでに、ＬＥＤ１４から発せられた光は十分に広がることができ、発光強度の分布ムラを防止することができる。また、ＲＧＢ一体型のＬＥＤ１４を用いる場合にあっては、導光板１２から出射されるまでに各色の光が十分に混じり合うことができ、所望の色表現が可能となる。
【００３５】
本実施形態による照明装置の発光領域は、導光板１２にプリズム１８を設けた領域に対応している。すなわち、例えば図１０に示すように導光板１２の当該他方の表面の一部の領域にのみプリズム１８を設けた場合、プリズム１８を設けた領域に相当する部分だけが発光領域となる。この場合、レンズシート１６は、例えば図１０に示すように、プリズム１８に対向する部分のみに設けるようにしてもよい。
【００３６】
本実施形態による照明装置の駆動方法は、特に限定されるものではないが、例えば以下のような例が考えられる。
【００３７】
図１１及び図１２は、ＬＥＤ１４として単色のＬＥＤを用いたときの本実施形態による照明装置の第１の駆動例を示す図である。図１１は制御回路２０により制御する各ＬＥＤ１４の発光強度を示すタイムチャートであり、図１２は本実施形態による照明装置を発光面側から見た平面図である。図１２において、黒塗りのＬＥＤ１４が点灯しているＬＥＤ１４を表し、白抜きのＬＥＤ１４が消灯しているＬＥＤ１４を表している。また、図１２（ａ）〜（ｃ）は、図１１のタイムチャートにおける時間ｔ１，ｔ２，ｔ３のときの状態にそれぞれ対応している。
【００３８】
第１の駆動例は、図１１に示すように、ＬＥＤ１４ａ，１４ｂ，１４ｃ…を順次点灯していった駆動例である。時間ｔ１においてＬＥＤ１４ａを点灯し（図１２（ａ）参照）、時間ｔ２においてＬＥＤ１４ｂを更に点灯し（図１２（ｂ）参照）、時間ｔ３においてＬＥＤ１４ｃを更に点灯している（図１２（ｃ）参照）。点灯するＬＥＤ１４の数を増やしていくことにより、発光領域を増やすことが可能である。この逆に、点灯しているＬＥＤ１４の数を減らしていけば、発光領域を減らすことが可能である。また、総てのＬＥＤ１４を点灯したときには、均一性のよい大面積の発光領域を得ることが可能である。
【００３９】
図１３及び図１４は、ＬＥＤ１４として単色のＬＥＤを用いたときの本実施形態による照明装置の第２の駆動例を示す図である。図１３は制御回路２０により制御する各ＬＥＤ１４の発光強度を示すタイムチャートであり、図１４は本実施形態による照明装置を発光面側から見た平面図である。図１４において、黒塗りのＬＥＤ１４が点灯しているＬＥＤ１４を表し、白抜きのＬＥＤ１４が消灯しているＬＥＤ１４を表している。また、図１４（ａ）〜（ｃ）は、図１３における時間ｔ１，ｔ２，ｔ３のときの状態にそれぞれ対応している。
【００４０】
第２の駆動例は、図１３に示すように、ＬＥＤ１４ａ，１４ｂ，１４ｃ…を一つずつ順番に点灯していった駆動例である。時間ｔ１においてＬＥＤ１４ａを点灯し（図１４（ａ）参照）、時間ｔ２においてＬＥＤ１４ａを消灯してＬＥＤ１４ｂを点灯し（図１４（ｂ）参照）、時間ｔ３においてＬＥＤ１４ｂを消灯してＬＥＤ１４ｃを点灯している（図１４（ｃ）参照）。ＬＥＤ１４を一つずつ順番に点灯していくことにより、長細い発光領域を移動させたように見せることが可能である。
【００４１】
図１５及び図１６は、ＬＥＤ１４としてＲＧＢ一体型のＬＥＤを用いたときの本実施形態による照明装置の第３の駆動例を示す図である。図１５は制御回路２０により制御する各ＬＥＤ１４の発光強度を示すタイムチャートであり、図１６は本実施形態による照明装置を発光面側から見た平面図である。図１６において、各ＬＥＤ１４に示される３つの領域は、左側から、赤色（Ｒ）、緑色（Ｇ）、青色（Ｂ）の発光領域を模式的に表したものであり、黒塗りが点灯している状態を、白抜きが消灯している状態を示している。また、図１６（ａ）〜（ｃ）は、図１５における時間ｔ１，ｔ２，ｔ３のときの状態にそれぞれ対応している。
【００４２】
第３の駆動例は、図１５に示すように、ＬＥＤ１４ａ，１４ｂ，１４ｃ…を異なる色で順次点灯していった駆動例である。時間ｔ１においてＬＥＤ１４ａを赤色（Ｒ）で点灯し（図１６（ａ）参照）、時間ｔ２においてＬＥＤ１４ｂを黄色（Ｒ＋Ｇ）で更に点灯し（図１６（ｂ）参照）、時間ｔ３においてＬＥＤ１４ｃを緑色（Ｇ）で更に点灯している（図１６（ｃ）参照）。このように発光色を変えながら点灯するＬＥＤ１４の数を増やしていくことにより、発光領域を増やすことが可能になるとともに、綺麗な虹色を表現することが可能になる。
【００４３】
図１７及び図１８は、ＬＥＤ１４としてＲＧＢ一体型のＬＥＤを用いたときの本実施形態による照明装置の第４の駆動例を示す図である。図１７は制御回路２０により制御する各ＬＥＤ１４の発光強度を示すタイムチャートであり、図１８は本実施形態による照明装置を発光面側から見た平面図である。図１８において、各ＬＥＤ１４に示される３つの領域は、左側から、赤色（Ｒ）、緑色（Ｇ）、青色（Ｂ）の発光領域を模式的に表したものであり、黒塗りが点灯している状態を、白抜きが消灯している状態を示している。また、図１８（ａ）〜（ｄ）は、図１７における時間ｔ１，ｔ２，ｔ３，ｔ４のときの状態にそれぞれ対応している。
【００４４】
第４の駆動例は、図１７に示すように、ＬＥＤ１４ａ，１４ｂ，１４ｃ，１４ｄ…を一つずつ順番に異なる色で点灯していった駆動例である。時間ｔ１においてＬＥＤ１４ａを赤色（Ｒ）で点灯し（図１８（ａ）参照）、時間ｔ２においてＬＥＤ１４ａを消灯してＬＥＤ１４ｂを黄色（Ｒ＋Ｇ）で点灯し（図１８（ｂ）参照）、時間ｔ３においてＬＥＤ１４ｂを消灯してＬＥＤ１４ｃを緑色（Ｇ）で点灯し（図１８（ｃ）参照）、時間ｔ４においてＬＥＤ１４ｃを消灯してＬＥＤ１４ｄを水色（Ｇ＋Ｂ）で点灯している（図１８（ｄ）参照）。このようにＬＥＤ１４を一つずつ順番に異なる色で点灯していくことにより、長細い発光領域を色を変えながら移動させたように見せることが可能である。
【００４５】
図１９及び図２０は、ＬＥＤ１４としてＲＧＢ一体型のＬＥＤを用いたときの本実施形態による照明装置の第５の駆動例を示す図である。図１９は制御回路２０により制御する各ＬＥＤ１４の発光強度を示すタイムチャートであり、図２０は本実施形態による照明装置を発光面側から見た平面図である。図１９において、各ＬＥＤ１４に示される３つの領域は、左側から、赤色（Ｒ）、緑色（Ｇ）、青色（Ｂ）の発光領域を模式的に表したものであり、黒塗りが点灯している状態を、白抜きが消灯している状態を示している。また、図２０（ａ）〜（ｃ）は、図１９における時間ｔ１，ｔ２，ｔ３のときの状態にそれぞれ対応している。
【００４６】
第５の駆動例は、図１９に示すように、ＬＥＤ１４ａ，１４ｂ，１４ｃ，１４ｄ，１４ｅ…を異なる色で点灯し、各ＬＥＤ１４の発光色を時間とともに変化した駆動例である。時間ｔ１において、ＬＥＤ１４ａを赤色（Ｒ）で、ＬＥＤ１４ｂを黄色（Ｒ＋Ｇ）で、ＬＥＤ１４ｃを緑色（Ｇ）で、ＬＥＤ１４ｄを水色（Ｇ＋Ｂ）で、ＬＥＤ１４ｅを青色（Ｂ）で、それぞれ点灯する（図２０（ａ）参照）。次いで、時間ｔ２において、ＬＥＤ１４ａを紫色（Ｒ＋Ｂ）で、ＬＥＤ１４ｂを赤色（Ｒ）で、ＬＥＤ１４ｃを黄色（Ｒ＋Ｇ）で、ＬＥＤ１４ｄを緑色（Ｇ）で、ＬＥＤ１４ｅを水色（Ｇ＋Ｂ）で、それぞれ点灯する（図２０（ｂ）参照）。次いで、時間ｔ３において、ＬＥＤ１４ａを青色（Ｂ）で、ＬＥＤ１４ｂを紫色（Ｒ＋Ｂ）で、ＬＥＤ１４ｃを赤色（Ｒ）で、ＬＥＤ１４ｄを黄色（Ｒ＋Ｇ）で、ＬＥＤ１４ｅを緑色（Ｇ）で、それぞれ点灯する（図２０（ｃ）参照）。このようにＬＥＤ１４を異なる色で点灯し、虹色発光の状態で、それぞれの発光色を変えていくことにより、虹色のパターンが動いて見えるようにすることが可能である。
【００４７】
このように、本実施形態によれば、導光板の側面から入射した光をプリズムによって導光板の表面から出射するので、光源から発せられた光が導光板から出射されるまでの距離を十分に長くすることができる。これにより、発光強度の面内の分布ムラを防止し、色再現性を向上することができる。
【００４８】
また、導光板の光の出射面に、光を一旦集光した後に発散させるレンズシートを設けることにより、出射される光の視認範囲を広げることができ、発光領域の全体を人の目によって認識することができる。
【００４９】
また、複数の光源を設けることにより、光源の配置場所に応じた所定の領域を選択的に発光させることができる。これにより、複数の光源の発光色や点滅のタイミングを制御することにより、様々な発光パターンを実現することができ、照明装置のインターフェースとしての役割やデザイン性を向上することができる。
【００５０】
［第２実施形態］
第２実施形態による照明装置及びその駆動方法について図２１及び図２２を用いて説明する。なお、図１乃至図２０に示す第１実施形態による照明装置及びその駆動方法と同様の構成要素には同一の符号を付し説明を省略し或いは簡潔にする。
【００５１】
図２１は、本実施形態による照明装置の構造を示す斜視図である。図２２は、本実施形態による照明装置の動作を説明する図である。
【００５２】
はじめに、本実施形態による照明装置の構造について図２１を用いて説明する。
【００５３】
本実施形態の照明装置１０は、平板状の導光板１２を有している。導光板１２は、対向する２つの表面と、複数の側面とを有している。導光板１２の一側面には、複数の発光ダイオード１４が設けられている。導光板１２の一方の表面上には、レンズシート１６が配置されている。レンズシート１６が設けられた導光板１２の当該一方の表面側が、本実施形態による照明装置の発光面である。導光板１２の当該一方の表面部には、プリズム１８が設けられている。導光板１２の他方の表面上には、反射拡散シート２８が設けられている。ＬＥＤ１４には、ＬＥＤ１４の発光を制御するための制御回路２０が接続されている。
【００５４】
このように、本実施形態による照明装置は、プリズム１８が導光板１２の当該一方の表面部に設けられており、導光板１２の他方の表面上に反射拡散シート２８が設けられている点で、第１実施形態による照明装置とは異なっている。本実施形態による照明装置の導光板１２、ＬＥＤ１４、レンズシート１６及び制御回路２０は、第１実施形態による照明装置の場合と同様である。本実施形態による照明装置のプリズム１８は、配置場所は異なっているが、その機能や構成は第１実施形態による照明装置の場合と同様である。反射拡散シート２８は、導光板１２内から当該他方の表面に入射した光を反射して再び導光板１２内に戻すためのものである。
【００５５】
図２１に示す照明装置では、レンズシート１６及びプリズム１８を導光板１２の一部分の領域だけに設けているが、図１に示す第１実施形態による照明装置の場合と同様、導光板１２の当該一方の表面の全面に渡ってレンズシート１６及びプリズム１８を設けるようにしてもよい。また、図２１に示す照明装置では反射拡散シート２８を導光板１２の当該他方の表面の全面に渡って形成しているが、レンズシート１６及びプリズム１８を設けた領域に対応した領域に、選択的に形成するようにしてもよい。
【００５６】
次に、本実施形態による照明装置の動作について図２１及び図２２を用いて説明する。
【００５７】
まず、制御回路２０により、所望のＬＥＤ１４を点灯する。ＬＥＤ１４から発せられた光は、導光板１２内に導入され、導光板１２内で全反射を繰り返しながら、ＬＥＤ１４が設けられた側面と対向する側面に向かって伝搬する。
【００５８】
この過程で、光の一部は、プリズム１８に入射する。図２２に示すように、導光板１２内を伝搬してプリズム１８に入射した光線のうち、プリズム１８の斜面２２ａに対して全反射条件を満たす光線（光線２６ｃ）は、プリズム１８の斜面２２ａによって全反射される。プリズム１８に反射された光は、導光板１２の表面に対して垂直な方向に近い方向に伝搬する。プリズム１８の斜面２２ａによって全反射された光のうち、当該一方の表面に対して全反射臨界角よりも大きい角度で入射した光は、導光板１２の当該一方の表面において全反射条件から逸脱する。しかしながら、本実施形態による照明装置では、導光板の当該他方の表面に反射拡散シート２８が配置されているため、光線２６ｃは、反射拡散シート２８により反射され、再び導光板１２内を伝搬した後、導光板１２の当該一方の表面側から出射される。このようにして導光板１２から出射された光は、有効な光として使用される。
【００５９】
導光板１２から出射された光は、レンズシート１６に入射する。レンズシート１６に入射した光は、レンズシート１６の種類に応じたレンズ効果により、広げられる。
【００６０】
本実施形態による照明装置では、第１実施形態による照明装置と比較して、導光板１２内を伝搬する光の距離が、少なくとも導光板１２の厚さ分だけ長くなる。したがって、導光板１２から出射されるまでに、ＬＥＤ１４から発せられた光は更に十分に広がることができ、発光強度の分布ムラを防止することができる。また、ＲＧＢ一体型のＬＥＤ１４を用いる場合にあっては、導光板１２から出射されるまでに各色の光が十分に混じり合うことができ、所望の色表現が可能となる。
【００６１】
このように、本実施形態によれば、導光板の側面から入射した光をプリズムによって導光板の表面から出射するので、光源から発せられた光が導光板から出射されるまでの距離を十分に長くすることができる。これにより、発光強度の面内の分布ムラを防止し、色再現性を向上することができる。
【００６２】
また、導光板の光の出射面に、光を一旦集光した後に発散させるレンズシートを設けることにより、出射される光の視認範囲を広げることができ、発光領域の全体を人の目によって認識することができる。
【００６３】
また、複数の光源を設けることにより、光源の配置場所に応じた所定の領域を選択的に発光させることができる。これにより、複数の光源の発光色や点滅のタイミングを制御することにより、様々な発光パターンを実現することができ、照明装置のインターフェースとしての役割やデザイン性を向上することができる。
【００６４】
［第３実施形態］
第３実施形態による照明装置及びその駆動方法について図２３乃至図３０を用いて説明する。なお、図１乃至図２２に示す第１及び第２実施形態による照明装置及びその駆動方法と同様の構成要素には同一の符号を付し説明を省略し或いは簡潔にする。
【００６５】
図２３は、本実施形態による照明装置の構造を示す斜視図である。図２４は、本実施形態の変形例による照明装置の構造を示す平面図である。図２５乃至図３０は、本実施形態による照明装置の駆動例を示す図である。
【００６６】
はじめに、本実施形態による照明装置の構造について図２３を用いて説明する。
【００６７】
本実施形態の照明装置１０は、平板状の導光板１２を有している。導光板１２は、対向する２つの表面と、４との側面とを有している。導光板１２の各側面には、発光ダイオード１４ａ，１４ｂ，１４ｃ，１４ｄが、それぞれ設けられている。導光板１２の一方の表面上には、レンズシート１６が配置されている。レンズシート１６が設けられた導光板１２の当該一方の表面側が、本実施形態による照明装置の発光面である。導光板１２の他方の表面部には、プリズム１８ａ，１８ｂ，１８ｃ，１８ｄが設けられている。ＬＥＤ１４ａ，１４ｂ，１４ｃ，１４ｄには、ＬＥＤ１４ａ，１４ｂ，１４ｃ，１４ｄの発光を制御するための制御回路（図示せず）が接続されている。
【００６８】
ＬＥＤ１４ａ，１４ｂ，１４ｃ，１４ｄは、発せられた光が導光板１２内に導入されるように、その発光面が導光板１２の各側面と対向するように配置されている。ＬＥＤ１４ａ，１４ｂ，１４ｃ，１４ｄは、特に限定されるものではなく、単色のＬＥＤであってもよいし、ＲＧＢ一体型のＬＥＤであってもよい。
【００６９】
レンズシート１６は、特に限定されるものではないが、光を一旦集光した後に発散させるものが望ましい。このようなレンズシートとしては、図２（ａ）及び図３（ａ）に示すようなマイクロレンズアレイシートが好ましい。
【００７０】
プリズム１８ａ，１８ｂ，１８ｃ，１８ｄは、ＬＥＤ１４ａ，１４ｂ，１４ｃ，１４ｄに対応して設けられたものである。プリズム１８ａ，１８ｂ，１８ｃ，１８ｄは、図２３に示すように、導光板１２の当該他方の表面部に設けられた複数の溝２２により形成される。プリズム１８ａ，１８ｂ，１８ｃ，１８ｄの複数の溝２２は、対応するＬＥＤ１４ａ，１４ｂ，１４ｃ，１４ｄから発せられた光の伝搬方向に対して交差する方向に延在して設けられている。すなわち、プリズム１８ａの溝２２は、導光板１２のＬＥＤ１４ａが設けられた側面に対して平行な方向に延在している。プリズム１８ｂの溝２２は、導光板１２のＬＥＤ１４ｂが設けられた側面に対して平行な方向に延在している。プリズム１８ｃの溝２２は、導光板１２のＬＥＤ１４ｃが設けられた側面に対して平行な方向に延在している。プリズム１８ｄの溝２２は、導光板１２のＬＥＤ１４ｄが設けられた側面に対して平行な方向に延在している。
【００７１】
プリズム１８ａ，１８ｂ，１８ｃ，１８ｄのそれぞれの溝２２は、図２３に示すように、対応するＬＥＤ１４ａ，１４ｂ，１４ｃ，１４ｄが設けられた側面側の斜面２２ａの斜度が、当該側面と対向する側の斜面２２ｂの斜度よりも緩やかなＶ字型を有している。
【００７２】
このように、本実施形態による照明装置は、導光板１２、ＬＥＤ１４ａ、プリズム１８ａ及びレンズシート１６により形成される第１の発光部と、導光板１２、ＬＥＤ１４ｂ、プリズム１８ｂ及びレンズシート１６により形成される第２の発光部と、導光板１２、ＬＥＤ１４ｃ、プリズム１８ｃ及びレンズシート１６により形成される第３の発光部と、導光板１２、ＬＥＤ１４ｄ、プリズム１８ｄ及びレンズシート１６により形成される第４の発光部とを有している。各発光部は、第１実施形態による照明装置と同様である。
【００７３】
次に、本実施形態による照明装置の動作について図２３を用いて説明する。ここでは、第１の発光部を例にして説明するが、第２乃至第４発光部についても同様である。
【００７４】
制御回路（図示せず）により、ＬＥＤ１４ａを点灯する。ＬＥＤ１４ａから発せられた光は、導光板１２内に導入され、導光板１２内で全反射を繰り返しながら、ＬＥＤ１４ｃが設けられた側面に向かって伝搬する。
【００７５】
この過程で、光の一部は、プリズム１８ａに入射する。ここで、例えば、プリズム１８の斜面２２ａの斜度αは４０〜５５度の角度、斜面２２ｂの斜度βは７５〜９０度に設定する。図２３に示すように、導光板１２内を伝搬してプリズム１８ａに入射した光線のうち、プリズム１８ａの斜面２２ａに対して全反射条件を満たす光線（光線２６ａ）は、プリズム１８ａの斜面２２ａによって全反射される。プリズム１８ａに反射された光は、導光板１２の表面に対して垂直な方向に近い方向に伝搬する。プリズム１８ａの斜面２２ａによって全反射された光のうち、当該一方の表面に対して全反射臨界角よりも大きい角度で入射した光は、導光板１２の当該一方の表面において全反射条件から逸脱し、導光板１２から出射される。このようにして導光板１２から出射された光は、有効な光として使用される。
【００７６】
プリズム１８ａにより反射されなかった光は、プリズム１８ｃ側へ伝搬され、一部の光（光線２６ｂ）は、プリズム１８ｃに入射する。しかしながら、図２３に示すように、光線２６ｂが入射するプリズム１８ｃの斜面２２ｂは、光線２６ｂに対して垂直に近い方向を向いているため、光線２６ｂは全反射せずに透過する。したがって、ＬＥＤ１４ａから発せられた光がプリズム１８ｃによって反射されて導光板１２の表面から出射されることはない。また、プリズム１８ｂ，１８ｄの溝２２の斜面２２ａは、ＬＥＤ１４ａから発せられた光の伝搬方向に対して平行に近い方向に配されているため、ＬＥＤ１４ａから発せられた光がプリズム１８ｂ，１８ｄによって反射されて導光板１２の表面から出射されることはない。
【００７７】
すなわち、ＬＥＤ１４ａから発せられた光は、プリズム１８ａのみによって選択的に反射されて有効な光となり、プリズム１８ｂ，１８ｃ，１８ｄによって反射されることはない。同様に、ＬＥＤ１４ｂから発せられた光は、プリズム１８ｂのみによって選択的に反射されて有効な光となり、プリズム１８ａ，１８ｃ，１８ｄによって反射されることはない。また、ＬＥＤ１４ｃから発せられた光は、プリズム１８ｃのみによって選択的に反射されて有効な光となり、プリズム１８ａ，１８ｂ，１８ｄによって反射されることはない。また、ＬＥＤ１４ｄから発せられた光は、プリズム１８ｄのみによって選択的に反射されて有効な光となり、プリズム１８ａ，１８ｂ，１８ｃによって反射されることはない。
【００７８】
照明装置の発光部は、プリズム１８ａ，１８ｂ，１８ｃ，１８ｄの形成領域に対応している。したがって、点灯するＬＥＤ１４ａ，１４ｂ，１４ｃ，１４ｄを選択することにより、照明装置の任意の発光部を発光させることができる。
【００７９】
また、プリズム１８ａ，１８ｂ，１８ｃ，１８ｄの形成領域の形状を変えることにより、発光領域の形状を、プリズム１８ａ，１８ｂ，１８ｃ，１８ｄの形成領域の形状に対応した任意の形状に変化することができる。例えば、プリズム１８ａ，１８ｂ，１８ｃ，１８ｄの形成領域は、必ずしも同じ大きさである必要はなく、例えば図２４（ａ）に示すように、互いに異なる面積のプリズム１８ａ，１８ｂ，１８ｃ，１８ｄを設けるようにしてもよい。また、プリズム１８ａ，１８ｂ，１８ｃ，１８ｄの形成領域の形状は、矩形形状などの単純な形状のみならず、任意の形状にすることができる。例えば図２４（ｂ）に示すように、ハート型の形状とすることもできる。これにより、照明装置の発光領域のデザイン性を向上することができる。
【００８０】
また、本実施形態による照明装置では、ＬＥＤ１４とこれに対応するプリズム１８とを４組設けているが、ＬＥＤ１４とプリズム１８との組数は、これに限定されるものではない。ＬＥＤ１４とプリズム１８との組数は、他の組に対して影響を与えない範囲で、適宜増減することができる。例えば、ＬＥＤ１４とプリズム１８との組数は、２組又は３組でもよいし、５組以上でもよい。また、１つのＬＥＤ１４に対して、対応するプリズム１８を複数領域に設けるようにしてもよいし、複数のＬＥＤ１４に対して対応するプリズム１８を１つ又は複数の領域に設けるようにしてもよい。
【００８１】
また、本実施形態による照明装置においても、第２実施形態の場合と同様、プリズム１８ａ，１８ｂ，１８ｃ，１８ｄを導光板１２の当該一方の表面側に設け、導光板１２の他方の表面側に反射拡散シート２８を設けるようにしてもよい。
【００８２】
本実施形態による照明装置の駆動方法は、特に限定されるものではないが、例えば以下のような例が考えられる。
【００８３】
図２５及び図２６は、ＬＥＤ１４ａ，１４ｂ，１４ｃ，１４ｄとして単色のＬＥＤを用いたときの本実施形態による照明装置の第１の駆動例を示す図である。図２５は制御回路２０により制御する各ＬＥＤ１４ａ，１４ｂ，１４ｃ，１４ｄの発光強度を示すタイムチャートであり、図２６は本実施形態による照明装置を発光面側から見た平面図である。図２６において、黒塗りのＬＥＤ１４が点灯しているＬＥＤ１４を表し、白抜きのＬＥＤ１４が消灯しているＬＥＤ１４を表している。また、図２６（ａ）〜（ｃ）は、図２５のタイムチャートにおける時間ｔ１，ｔ２，ｔ３のときの状態にそれぞれ対応している。
【００８４】
第１の駆動例は、図２５に示すように、ＬＥＤ１４ａ，１４ｂ，１４ｃ…を一つずつ順番に点灯していった駆動例である。時間ｔ１においてＬＥＤ１４ａを点灯し（図２６（ａ）参照）、時間ｔ２においてＬＥＤ１４ａを消灯してＬＥＤ１４ｂを点灯し（図２６（ｂ）参照）、時間ｔ３においてＬＥＤ１４ｂを消灯してＬＥＤ１４ｃを点灯している（図２６（ｃ）参照）。ＬＥＤ１４を一つずつ順番に点灯していくことにより、発光領域を回転させたように見せることが可能である。
【００８５】
図２７及び図２８は、ＬＥＤ１４ａ，１４ｂ，１４ｃ，１４ｄとしてＲＧＢ一体型のＬＥＤを用いたときの本実施形態による照明装置の第２の駆動例を示す図である。図２７は制御回路２０により制御する各ＬＥＤ１４ａ，１４ｂ，１４ｃ，１４ｄの発光強度を示すタイムチャートであり、図２８は本実施形態による照明装置を発光面側から見た平面図である。図２８において、黒塗りのＬＥＤ１４が所定の色で点灯しているＬＥＤ１４を表し、白抜きのＬＥＤ１４が消灯しているＬＥＤ１４を表している。また、図２８（ａ）〜（ｄ）は、図２７における時間ｔ１，ｔ２，ｔ３，ｔ４のときの状態にそれぞれ対応している。
【００８６】
第２の駆動例は、図２７に示すように、ＬＥＤ１４ａ，１４ｂ，１４ｃ，１４ｄ…を一つずつ順番に異なる色で点灯していった駆動例である。時間ｔ１においてＬＥＤ１４ａを赤色（Ｒ）で点灯し（図２８（ａ）参照）、時間ｔ２においてＬＥＤ１４ａを消灯してＬＥＤ１４ｂを緑色（Ｇ）で点灯し（図２８（ｂ）参照）、時間ｔ３においてＬＥＤ１４ｂを消灯してＬＥＤ１４ｃを青色（Ｂ）で点灯している（図２８（ｃ）参照）。このようにＬＥＤ１４を一つずつ順番に異なる色で点灯していくことにより、発光領域を色を変えながら回転させたように見せることが可能である。
【００８７】
図２９及び図３０は、ＬＥＤ１４ａ，１４ｂ，１４ｃ，１４ｄとしてＲＧＢ一体型のＬＥＤを用いたときの本実施形態による照明装置の第３の駆動例を示す図である。図２９は制御回路２０により制御する各ＬＥＤ１４ａ，１４ｂ，１４ｃ，１４ｄの発光強度を示すタイムチャートであり、図３０は本実施形態による照明装置を発光面側から見た平面図である。図３０において、各ＬＥＤ１４ａ，１４ｂ，１４ｃ，１４ｄに示される３つの領域は、左側から、赤色（Ｒ）、緑色（Ｇ）、青色（Ｂ）の発光領域を模式的に表したものであり、黒塗りが点灯している状態を、白抜きが消灯している状態を示している。また、図３０（ａ）〜（ｃ）は、図２９における時間ｔ１，ｔ２，ｔ３のときの状態にそれぞれ対応している。
【００８８】
第３の駆動例は、図２９に示すように、ＬＥＤ１４ａ，１４ｂ，１４ｃ，１４ｄを異なる色で点灯し、各ＬＥＤ１４ａ，１４ｂ，１４ｃ，１４ｄの発光色を時間とともに変化した駆動例である。時間ｔ１において、ＬＥＤ１４ａを赤色（Ｒ）で、ＬＥＤ１４ｂを緑色（Ｇ）で、ＬＥＤ１４ｃを青色（Ｂ）で、ＬＥＤ１４ｄを白色（Ｒ＋Ｇ＋Ｂ）で、それぞれ点灯する（図３０（ａ）参照）。次いで、時間ｔ２において、ＬＥＤ１４ａを白色（Ｒ＋Ｇ＋Ｂ）で、ＬＥＤ１４ｂを赤色（Ｒ）で、ＬＥＤ１４ｃを緑色（Ｇ）で、ＬＥＤ１４ｄを青色（Ｂ）で、それぞれ点灯する（図３０（ｂ）参照）。次いで、時間ｔ３において、ＬＥＤ１４ａを青色（Ｂ）で、ＬＥＤ１４ｂを白色（Ｒ＋Ｇ＋Ｂ）で、ＬＥＤ１４ｃを赤色（Ｒ）で、ＬＥＤ１４ｄを緑色（Ｇ）で、それぞれ点灯する（図３０（ｃ）参照）。このようにＬＥＤ１４ａ，１４ｂ，１４ｃ，１４ｄを異なる色で点灯し、虹色発光の状態で、それぞれの発光色を変えていくことにより、虹色のパターンが回転して見えるようにすることが可能である。
【００８９】
このように、本実施形態によれば、導光板の側面から入射した光をプリズムによって導光板の表面から出射するので、光源から発せられた光が導光板から出射されるまでの距離を十分に長くすることができる。これにより、発光強度の面内の分布ムラを防止し、色再現性を向上することができる。
【００９０】
また、導光板の光の出射面に、光を一旦集光した後に発散させるレンズシートを設けることにより、出射される光の視認範囲を広げることができ、発光領域の全体を人の目によって認識することができる。
【００９１】
また、光の伝搬方向の異なる複数の光源と、これに対応した複数のプリズムを設けることにより、光源の配置場所に応じた所定の領域を選択的に発光させることができる。これにより、複数の光源の発光色や点滅のタイミングを制御することにより、様々な発光パターンを実現することができ、照明装置のインターフェースとしての役割やデザイン性を向上することができる。
【００９２】
［第４実施形態］
第４実施形態による照明装置及びその駆動方法について図３１乃至図３９を用いて説明する。なお、図１乃至図３０に示す第１乃至第３実施形態による照明装置及びその駆動方法と同様の構成要素には同一の符号を付し説明を省略し或いは簡潔にする。
【００９３】
図３１は、本実施形態による照明装置の構造を示す斜視図である。図３２は、本実施形態による照明装置のレンズシートの構造を示す斜視図及び平面図である。図３３は、本実施形態による照明装置内における光の伝搬方向を模式的に示す図である。図３４及び図３６は、２枚のレンズシートの位置関係をずらしたときの状態を示す模式図である。図３５及び図３７は、２枚のレンズシートの位置関係を変化したときの発光状態の変化を示す図である。図３８及び図３９は、レンズシートの配置例を示す斜視図である。図４０は、一体型のレンズシートの例を示す斜視図である。図４１乃至図４３は、レンズシートの他の例を示す平面図である。図４４乃至図４６は、本実施形態による照明装置の駆動例を示す図である。
【００９４】
はじめに、本実施形態による照明装置の構造について図３１乃至図４３を用いて説明する。
【００９５】
本実施形態の照明装置１０は、平板状の導光板１２を有している。導光板１２の一側面には、複数のＬＥＤ１４が設けられている。導光板１２の一方の表面上には、レンズシート１６が配置されている。レンズシート１６は、レンズシート１６Ａとレンズシート１６Ｂとを有している。レンズシート１６が設けられた導光板１２の当該一方の表面側が、本実施形態による照明装置の発光面である。導光板１２の他方の表面部には、プリズム１８が設けられている。ＬＥＤ１４には、ＬＥＤ１４の発光を制御するための制御回路２０が接続されている。
【００９６】
このように、本実施形態による照明装置は、レンズシート１６が、レンズシート１６Ａと、レンズシート１６Ａ上に配置されたレンズシート１６Ｂとを有しているほかは、第１実施形態による照明装置と同様である。
【００９７】
レンズシート１６Ａとレンズシート１６Ｂとは、レンズの配列方向が互いに数度程度ずれるように配置される。例えば、レンズシート１６Ａ及びレンズシート１６Ｂとして、図３２（ａ）に示すようなレンチキュラレンズシートを用いる場合、レンズシート１６Ａ及びレンズシート１６Ｂを、図３２（ｂ）に示すように配置する。
【００９８】
図３２（ａ）及び図３２（ｂ）に示すように、レンズシート１６Ａ，１６Ｂに平行な面
がｘ−ｙ平面であり、レンズシート１６Ａ，１６Ｂに垂直な方向をｚ方向であると仮定する。レンズシート１６Ａは、シリンドリカルレンズ１６ｂの尾根の延伸方向がＬＥＤ１４から発せられた光の伝搬方向に対して平行になるように、ｙ軸方向に沿って配置される。レンズシート１６Ｂは、シリンドリカルレンズ１６ｂの尾根の延伸方向がｘ−ｙ平面においてｙ軸方向から数度程度ずれるように配置する（図３２（ｂ））。
【００９９】
図３３は、照明装置内における光の伝搬方向を模式的に示した図である。図３３（ａ）は、レンズシート１６Ａのシリンドリカルレンズ１６ｂの尾根の延伸方向とレンズシート１６Ｂのシリンドリカルレンズ１６ｂの尾根の延伸方向とが平行（ともにｙ軸方向）な場合である。図３３（ｂ）は、レンズシート１６Ｂのシリンドリカルレンズ１６ｂの尾根の延伸方向が、レンズシート１６Ａのシリンドリカルレンズ１６ｂの尾根の延伸方向（ｙ軸方向）から数度傾いた場合である。各図に示される３つの座標系は、下側から、導光板１２から出射された光、レンズシート１６Ａから出射された光、レンズシート１６Ｂから出射された光、のそれぞれに対応して記載したものである。
【０１００】
導光板１２から出射された光が、ｚ方向の成分だけを有している場合を考える。レンズシート１６Ａに入射された光は、レンズシート１６Ａによってｘ軸方向の成分が付与され、レンズシート１６Ａから出射される。レンチキュラレンズシートの特性上、レンズシート１６Ａに入射された光には、ｙ軸方向の成分は付与されない（図３３（ａ）及び図３３（ｂ）参照）。
【０１０１】
レンズシート１６Ａのシリンドリカルレンズ１６ｂの尾根の延伸方向とレンズシート１６Ｂのシリンドリカルレンズ１６ｂの尾根の延伸方向とが平行な場合、レンズシート１６Ｂに入射された光は、レンズシート１６Ｂによってｘ軸方向の成分が更に強調され、レンズシート１６Ｂから出射される。レンズシート１６Ｂに入射された光には、レンズシート１６Ａの場合と同様、ｙ軸方向の成分は付与されない（図３３（ａ）参照）。
【０１０２】
一方、レンズシート１６Ｂのシリンドリカルレンズ１６ｂの尾根の延伸方向とレンズシート１６Ａのシリンドリカルレンズ１６ｂの尾根の延伸方向とがずれている場合、レンズシート１６Ｂに入射された光は、レンズシート１６Ｂによってｘ軸方向及びｙ軸方向の成分が付与され、レンズシート１６Ｂから出射される（図３３（ｂ）参照）。これにより、ＬＥＤ１４から発せられた光の伝搬方向に対して斜め方向の成分を発生させることができる。
【０１０３】
ＬＥＤ１４から発せられた光の伝搬方向に対して斜め方向の成分を発生することにより、照明装置の発光面から放出される光は、様々な模様を有することになる。
【０１０４】
図３４は、レンチキュラレンズシートである２枚のレンズシート１６Ａ，１６Ｂの位置関係をずらしたときの状態を示す模式図である。図３４（ａ）は、レンズシート１６Ａとレンズシート１６Ｂとの間にずれがない状態を示している。図３４（ｂ）は、図３４（ａ）の状態から、レンズシート１６Ｂをシートの中心を軸にして時計回りに角度θ１で回転した状態を示している。図３４（ｃ）は、図３４（ａ）の状態から、レンズシート１６Ｂをシートの中心を軸にして時計回りに角度θ１より大きい角度θ２で回転した状態を示している。
【０１０５】
図３５は、例えば図２０に示すように複数のＬＥＤ１４を異なる色で点灯した状態で、レンチキュラレンズシートであるレンズシート１６Ａ，１６Ｂの位置関係を図３４に示すように回転したときの発光状態の変化を示す図である。図３５は、上側から、回転角が０度の場合、回転角が０．５度の場合、回転角が５度の場合、回転角が１０度の場合である。
【０１０６】
図３５に示すように、回転角が０度の場合には、ＬＥＤ１４からの光の伝搬方向に沿って各色の光の帯が伸びている。これに対し、回転角が０．５度の場合には、ＬＥＤ１４からの光の伝搬方向に対して斜め方向に各色の光の帯が伸びている。回転角を更に５度程度に増加すると、ＬＥＤ１４からの光の伝搬方向に対して９０度近くまで各色の光の帯が回転している。このように、２枚のレンズシートの配置角度によって粗い模様から細かい模様まで実現することができ、効果的な光の演出が可能となる。
【０１０７】
図３６は、マイクロレンズアレイシートである２枚のレンズシート１６Ａ，１６Ｂの位置関係をずらしたときの状態を示す模式図である。図３６（ａ）は、レンズシート１６Ａとレンズシート１６Ｂとの間にずれがない状態を示している。図３６（ｂ）は、図３６（ａ）の状態から、レンズシート１６Ｂをシートの中心を軸にして時計回りに角度θ１で回転した状態を示している。図３６（ｃ）は、図３６（ａ）の状態から、レンズシート１６Ｂをシートの中心を軸にして時計回りに角度θ１より大きい角度θ２で回転した状態を示している。
【０１０８】
図３７は、例えば図２０に示すように複数のＬＥＤ１４を異なる色で点灯した状態で、マイクロレンズアレイシートであるレンズシート１６Ａ，１６Ｂの位置関係を図３６に示すように回転したときの発光状態の変化を示す図である。図３７は、上側から、回転角が０度の場合、回転角が０．５度の場合、回転角が５度の場合、回転角が１０度の場合である。
【０１０９】
マイクロレンズアレイシートの場合、レンチキュラレンズシートのように各色の光の帯が斜めになることはないが、斜めの模様を光の中に作り出すことができる。例えば、回転角が０．５度の場合には粗い斜め線を、回転角が５度以上では細かい斜め線を、作り出すことができる。発光面に斜め線を発生させることができるため、レンチキュラレンズシートの場合と同様、２枚のレンズシートの配置角度によって粗い模様から細かい模様まで実現することができ、効果的な光の演出が可能となる。
【０１１０】
照明装置１０の発光模様は、図３５及び図３７に示すように、レンズシートの種類やレンズシート１６Ａ，１６Ｂ間の位置関係によって大きく変化する。これにより、ＬＥＤ１４の発光パターンの変化によるバリエーション加えて、様々な模様を表示することが可能となる。これにより、光の演出により幅を持たせることができる。レンズシートの種類やレンズシート１６Ａ，１６Ｂ間の位置関係は、使用目的等に応じて適宜設定することが望ましい。
【０１１１】
レンズシート１６Ａとレンズシート１６Ｂとの間の回転角は、必要とされる模様を形成できる値に設定すればよく、特に限定されるものではない。２枚のレンズシート１６Ａ，１６Ｂによって特有の模様を作り出すという観点からは、０度、９０度というようなレンズの配列パターンが平行又は直交する角度以外の角度に設定することが望ましい。
【０１１２】
レンズシート１６Ａ，１６Ｂの配置は、特に限定されるものではない。例えば、図３８（ａ）及び図３９（ａ）に示すように、レンズシートの凹凸面がともに上を向くように配置することができる。或いは、例えば図３８（ｂ）及び図３９（ｂ）に示すように、レンズシートの凹凸面が互いに逆向きになるように配置することもできる。或いは、例えば図３８（ｃ）及び図３９（ｃ）に示すように、レンズシートの凹凸面がともに下を向くように配置することもできる。或いは、例えば図３８（ｄ）及び図３９（ｄ）に示すように、レンズシートの凹凸面が互いに向き合うように配置することもできる。２枚のレンズシートの凹凸面の間隔が異なれば、レンズシート１６Ｂのずれ量（回転角）が同じであっても、光の帯の傾き角が異なる。これにより、異なる模様を発生することが可能となる。
【０１１３】
また、レンズシート１６Ａ，１６Ｂを積層する代わりに、例えば図４０に示すようにシートの両面にレンズ１６ａやレンズ１６ｂを設け、レンズシート１６Ａ，１６Ｂを積層したと同等の作用を有する一体型のレンズシート１６Ｃとしてもよい。これにより、部品点数を削減することが可能となる。
【０１１４】
また、レンズシート１６Ａとレンズシート１６Ｂとは、必ずしも同じレンズシートを用いる必要はない。例えば、種類の異なるレンズシート（例えば、レンチキュラレンズシートとマイクロレンズアレイシート）を用いてもよいし、レンズのピッチの異なる同種類又は異種類のレンズシートを用いてもよい。なお、より大きい模様を形成するという観点からは、レンズのピッチが近いレンズシートを用いることが望ましい。
【０１１５】
また、レンズシート１６Ａ，１６Ｂは、図３４に示すレンチキュラレンズシートや図３６に示すマイクロレンズアレイシートに限定されるものではない。例えば図４１（ａ）に示すような菱形状の平面形状を有するマイクロレンズが配列されたマイクロレンズアレイシートや、例えば図４２（ａ）に示すようなシリンドリカルレンズの尾根が波状に配置されたレンズシートや、例えば図４３（ａ）に示すようなレンズの尾根が同心円状に配置されたレンズシートを適用することができる。これらレンズシートを用いた場合にも、各図（ｂ）及び（ｃ）に示すようにレンズシート１６Ａ，１６Ｂ間の位置関係を変化することにより、種々の模様を形成することができる。
【０１１６】
また、以上の説明では、第１実施形態による照明装置のレンズシート１６をレンズシート１６Ａとレンズシート１６Ｂとの２枚構成としたが、第２又は第３実施形態による照明装置のレンズシート１６をレンズシート１６Ａとレンズシート１６Ｂとの２枚構成としてもよい。
【０１１７】
本実施形態による照明装置の駆動方法は、特に限定されるものではないが、例えば以下のような例が考えられる。
【０１１８】
図４４は、ＬＥＤ１４として単色のＬＥＤを用いたときの本実施形態による照明装置の第１の駆動例を示す図であり、本実施形態による照明装置を発光面側から見た平面図である。制御回路２０により制御する各ＬＥＤ１４の発光強度を示すタイムチャートについては、図１１を参照されたい。図４４において、黒塗りのＬＥＤ１４が点灯しているＬＥＤ１４を表し、白抜きのＬＥＤ１４が消灯しているＬＥＤ１４を表している。また、図３７（ａ）〜（ｃ）は、図１１のタイムチャートにおける時間ｔ１，ｔ２，ｔ３のときの状態にそれぞれ対応している。
【０１１９】
第１の駆動例は、図１１に示すように、ＬＥＤ１４ａ，１４ｂ，１４ｃ…を順次点灯していった駆動例である。時間ｔ１においてＬＥＤ１４ａを点灯し（図４４（ａ）参照）、時間ｔ２においてＬＥＤ１４ｂを更に点灯し（図４４（ｂ）参照）、時間ｔ３においてＬＥＤ１４ｃを更に点灯している（図４４（ｃ）参照）。点灯するＬＥＤ１４の数を増やしていくことにより、発光領域を増やすことが可能である。この逆に、点灯しているＬＥＤ１４の数を減らしていけば、発光領域を減らすことが可能である。また、総てのＬＥＤ１４を点灯したときには、均一性のよい大面積の発光領域を得ることが可能である。
【０１２０】
なお、本実施形態による照明装置では、第１実施形態による照明装置の場合と異なり、ＬＥＤ１４から発せられた光の伝搬方向に対して斜め方向に、発光領域が形成される。これは、前述のように、レンズシート１６Ｂのシリンドリカルレンズ１６ｂの尾根の延伸方向を、レンズシート１６Ａのシリンドリカルレンズ１６ｂの尾根の延伸方向からずらしているためである。レンズシート１６Ａとレンズシート１６Ｂとを互いに例えば０．５度程度ずらすことにより、ＬＥＤ１４から発せられた光の伝搬方向に対して斜め方向の発光領域を形成することができる。
【０１２１】
図４５は、ＬＥＤ１４としてＲＧＢ一体型のＬＥＤを用いたときの本実施形態による照明装置の第２の駆動例を示す図であり、本実施形態による照明装置を発光面側から見た平面図である。制御回路２０により制御する各ＬＥＤ１４の発光強度を示すタイムチャートについては、図１５を参照されたい。図４５において、各ＬＥＤ１４に示される３つの領域は、左側から、赤色（Ｒ）、緑色（Ｇ）、青色（Ｂ）の発光領域を模式的に表したものであり、黒塗りが点灯している状態を、白抜きが消灯している状態を示している。また、図４５（ａ）〜（ｃ）は、図１５における時間ｔ１，ｔ２，ｔ３のときの状態にそれぞれ対応している。
【０１２２】
第２の駆動例は、図１５に示すように、ＬＥＤ１４ａ，１４ｂ，１４ｃ…を異なる色で順次点灯していった駆動例である。時間ｔ１においてＬＥＤ１４ａを赤色（Ｒ）で点灯し（図４５（ａ）参照）、時間ｔ２においてＬＥＤ１４ｂを黄色（Ｒ＋Ｇ）で更に点灯し（図４５（ｂ）参照）、時間ｔ３においてＬＥＤ１４ｃを緑色（Ｇ）で更に点灯している（図４５（ｃ）参照）。このように発光色を変えながら点灯するＬＥＤ１４の数を増やしていくことにより、発光領域を増やすことが可能になるとともに、綺麗な虹色を表現することが可能になる。
【０１２３】
図４６は、ＬＥＤ１４としてＲＧＢ一体型のＬＥＤを用いたときの本実施形態による照明装置の第３の駆動例を示す図であり、本実施形態による照明装置を発光面側から見た平面図である。制御回路２０により制御する各ＬＥＤ１４の発光強度を示すタイムチャートについては、図１７を参照されたい。図４６において、各ＬＥＤ１４に示される３つの領域は、左側から、赤色（Ｒ）、緑色（Ｇ）、青色（Ｂ）の発光領域を模式的に表したものであり、黒塗りが点灯している状態を、白抜きが消灯している状態を示している。また、図４６（ａ）〜（ｄ）は、図１７における時間ｔ１，ｔ２，ｔ３，ｔ４のときの状態にそれぞれ対応している。
【０１２４】
第３の駆動例は、図１７に示すように、ＬＥＤ１４ａ，１４ｂ，１４ｃ，１４ｄ…を一つずつ順番に異なる色で点灯していった駆動例である。時間ｔ１においてＬＥＤ１４ａを赤色（Ｒ）で点灯し（図４６（ａ）参照）、時間ｔ２においてＬＥＤ１４ａを消灯してＬＥＤ１４ｂを黄色（Ｒ＋Ｇ）で点灯し（図４６（ｂ）参照）、時間ｔ３においてＬＥＤ１４ｂを消灯してＬＥＤ１４ｃを緑色（Ｇ）で点灯している（図４６（ｃ）参照）。このようにＬＥＤ１４を一つずつ順番に異なる色で点灯していくことにより、長細い発光領域を色を変えながら移動させたように見せることが可能である。
【０１２５】
このように、本実施形態によれば、２枚のレンズシートを積層し、これらを互いにずらして配置するので、ＬＥＤの発光パターンの変化によるバリエーション加えて、様々な発光模様を形成することが可能となる。これにより、光の演出により幅を持たせることができ、照明装置のインターフェースとしての役割やデザイン性を向上することができる。
【０１２６】
［第５実施形態］
第５実施形態による照明装置及びその駆動方法について図４７及び図４８を用いて説明する。なお、図１乃至図３９に示す第１乃至第４実施形態による照明装置及びその駆動方法と同様の構成要素には同一の符号を付し説明を省略し或いは簡潔にする。
【０１２７】
図４７は、本実施形態による照明装置の構造を示す概略図である。図４８はレンズシートの駆動例を示す概略図である。
【０１２８】
はじめに、本実施形態による照明装置について図３１及び図４７を用いて説明する。
【０１２９】
本実施形態の照明装置１０の基本的な構造は、第４実施形態による照明装置と同様である。すなわち、本実施形態の照明装置１０は、図３１に示すように、平板状の導光板１２を有している。導光板１２の一側面には、複数のＬＥＤ１４が設けられている。導光板１２の一方の表面上には、レンズシート１６が配置されている。レンズシート１６は、レンズシート１６Ａとレンズシート１６Ｂとを有している。導光板１２の他方の表面部には、プリズム１８が設けられている。ＬＥＤ１４には、ＬＥＤ１４の発光を制御するための制御回路２０が接続されている。
【０１３０】
本実施形態による照明装置１０では、少なくとも一方のレンズシート（例えばレンズシート１６Ｂ）が固定されていない。そして、このレンズシート１６Ｂには、図４７に示すように、可動機構３０が接続されている。可動機構３０には、可動機構３０を介してレンズシート１６Ｂを駆動する駆動回路３２が接続されている。
【０１３１】
第４実施形態で説明したように、レンズシート１６Ａに対してレンズシート１６Ｂをずらして配置することにより、ＬＥＤ１４から発せられた光の伝搬方向に対して斜め方向の成分を発生することができ、様々な模様の光を発光することができる。この模様は、レンズシート１６Ａ，１６Ｂ間のずれ量等によって変化するため、レンズシート１６Ａ，１６Ｂ間のずれ量を変化する可動機構３０を設けることにより、照明装置から発せられる光の模様を変化することができる。
【０１３２】
照明装置１０の発光模様は、図３５及び図３７に示したように、レンズシート１６Ａ，１６Ｂ間の位置関係によって大きく変化する。したがって、レンズシート１６Ｂの駆動機構３０を用いてレンズシート１６Ａ，１６Ｂ間の位置関係を変化させることにより、ＬＥＤ１４の発光パターンの変化によるバリエーション加えて、様々な模様を表示することが可能となる。これにより、光の演出により幅を持たせることができる。
【０１３３】
従来の照明装置では、表示に模様を形成するための手法として、ケースに模様を直接印刷するなどの方法が採用されていた。しかしながら、この方法では、ケースへの模様印刷の工程が必要なため製造コストが増加するうえ、発光輝度が低下することがあった。また、単純な模様しか発生できず、この模様を変化することもできなかった。また、液晶表示装置などを用いれば複雑な模様を表示できるが、部品コストの増加をもたらすことになる。
【０１３４】
本実施形態の照明装置では、単一の導光板１２を使用し、レンズシート１６Ａ，１６Ｂ間の位置関係を変えるだけで、発光輝度を低下することなく、様々な発光模様を実現することができる。しかもこの模様は、固定のパターンではなく、動かすことができるパターンである。これにより、部品コストを抑え、安価な照明装置を実現することが可能となる。
【０１３５】
レンズシート１６Ａ，１６Ｂ間の位置関係を変える手法は、特に限定されるものではないが、例えば図４８に示す手法を適用することができる。
【０１３６】
図４８（ａ）は、可動機構３０として、バイブレータ３０Ａのような振動子を用いたものである。レンズシート１６Ａは固定し、レンズシート１６Ｂは支持ピン３４を支点として回転できるように固定する。レンズシート１６Ｂの支持ピン３４から離れた部分とバイブレータ３０Ａとを接続し、バイブレータ３０Ａを駆動することにより、レンズシート１６Ｂを振動させることができる。これにより、レンズシート１６Ａ，１６Ｂ間の位置関係を変えることができる。
【０１３７】
図４８（ｂ）は、可動機構３０として、スピーカ３０Ｂのような振動子を用いたものである。レンズシート１６Ａは固定し、レンズシート１６Ｂは支持ピン３４を支点として回転できるように固定する。レンズシート１６Ｂの支持ピン３４から離れた部分の近傍にスピーカを配置し、スピーカから音を出すことにより、レンズシート１６Ｂを振動させることができる。これにより、レンズシート１６Ａ，１６Ｂ間の位置関係を変えることができる。
【０１３８】
バイブレータ３０Ａやスピーカ３０Ｂとしては、携帯電話などの電子機器に搭載されているものを利用することができる。したがって、可動機構３０としてバイブレータ３０Ａやスピーカ３０Ｂを、駆動回路３２としてバイブレータ３０Ａやスピーカ３０Ｂの駆動回路を用いることにより、新たな機構を付加することなく、レンズシート１６Ａ，１６Ｂ間の位置関係を変えて様々な模様を表示することができる。これにより、部品コストを抑え、安価な照明装置を実現することが可能となる。
【０１３９】
このように、本実施形態によれば、２枚のレンズシートを積層し、これらの位置関係を変化するので、ＬＥＤの発光パターンの変化によるバリエーション加えて、様々な発光模様を形成することが可能となる。これにより、光の演出により幅を持たせることができ、照明装置のインターフェースとしての役割やデザイン性を向上することができる。
【０１４０】
［第６実施形態］
第６実施形態による電子機器について図４９乃至図５１を用いて説明する。なお、図１乃至図４８に示す第１乃至第５実施形態による照明装置及びその駆動方法と同様の構成要素には同一の符号を付し説明を省略し或いは簡潔にする。
【０１４１】
図４９乃至図５１は、本実施形態による電子機器の構造及び動作を説明する斜視図である。
【０１４２】
図４９に示す携帯電話機４０は、第１筐体４２と第２筐体４４とを有し、第１筐体４２と第２筐体４４とは折り畳み可能に形成されている。図４９は携帯電話機４０を開いた状態を示し、図５０及び図５１は携帯電話機４０を閉じた状態を示している。
【０１４３】
図４９に示すように、第１筐体４２には、文字入力キー、テンキー、十字キー、決定キー及びその他の機能キー等からなる入力デバイスを有する操作部４６が設けられている。第２筐体４４には、所定の情報を表示するための表示部４８が設けられている。また、図５０及び図５１に示すように、第２筐体４４の背面部には、発光部５０が設けられている。発光部５０は、特に限定されるものではないが、例えば、電話や電子メールの着信を視覚的に知らせるためのものである。
【０１４４】
図５０に示す携帯電話機４０は、発光部５０として、図１に示す第１実施形態による照明装置を適用した例である。発光部５０を、例えば図１３及び図１４に示す第２の駆動例により駆動することにより、例えば図３２（ａ）に示すように、長細い発光領域を移動させたように見せることができる。また、例えば図１９及び図２０に示す第５の駆動例により駆動することにより、例えば図３２（ｂ）に示すように、虹色のパターンが動いて見えるようにすることができる。また、例えば図３７乃至図３９に示す第４実施形態による照明装置を適用すれば、斜めの光の帯が伝搬するように見せることができる。これにより、電話や電子メールの着信を視覚的に知らせることができる。
【０１４５】
図５１に示す携帯電話機４０は、発光部５０として、図２３に示す第３実施形態による照明装置を適用した例である。発光部５０を、例えば図２５及び図２６に示す第１の駆動例により駆動することにより、例えば図３３（ａ）に示すように、発光領域を回転させたように見せることができる。また、例えば図２９及び図３０に示す第３の駆動例により駆動することにより、例えば図３３（ｂ）に示すように、虹色のパターンが回転して見えるようにすることができる。また、第５実施形態に示したようにレンズシート１６を２枚としてレンズシート１６Ａ，１６Ｂ間の位置関係を制御すれば、各発光領域の模様を変えることも可能である。これにより、電話や電子メールの着信を視覚的に知らせることができる。
【０１４６】
発光部５０を形成する照明装置の発光パターンは、上記第１乃至第３実施形態に示したように、各ＬＥＤ１４の発光色やタイミングを制御することにより、適宜変更することができる。また、第５実施形態に示したように、レンズシート１６Ａ，１６Ｂ間の位置関係を制御することによっても適宜変更することができる。したがって、電話の着信と電子メールの着信を区別するなど、目的に応じて発光パターンを適宜設定することができる。
【０１４７】
前述の通り、第１乃至第５実施形態による照明装置は、ＬＥＤから発せられた光を導光板１２の側面から入射して導光板１２の表面側に出射するものであり、発光強度の分布ムラを低減し色表現性を改善しつつ、照明装置の厚みを薄くすることができる。これにより、照明装置を搭載した電子機器の小型化・薄型化を図ることができる。
【０１４８】
また、第１乃至第５実施形態による照明装置は、ＬＥＤ１４やプリズム１８の配置により、発光領域や色彩を任意に設定することができる。これにより、様々な発光パターンを実現することができ、インターフェースとしての役割やデザイン性を向上することができる。
【０１４９】
なお、上記実施形態では、電子機器として携帯電話機を例にして説明したが、開示の照明装置の用途は、携帯電話機に限らず、照明装置を用いる種々の電子機器に適用することが可能である。特に、開示の照明装置は、小型化・薄型化に向いており、小型化・薄型化が求められる携帯電話機、携帯情報端末機、携帯ゲーム機等の電子機器への適用が有効である。
【０１５０】
このように、本実施形態によれば、照明装置の発光強度の分布ムラを低減し色表現性を向上しつつ、電子機器の小型化・薄型化を図ることができる。また、照明装置の発光領域や色彩を任意に設定することができるため、様々な発光パターンを実現することができ、インターフェースとしての役割やデザイン性を向上することができる。
【０１５１】
［変形実施形態］
開示の照明装置及び電子機器は、上記実施形態に限らず種々の変形が可能である。
【０１５２】
例えば、第１乃至第３実施形態では、１枚のレンズシート１６を用いたが、２枚以上のレンズシートを積層して用いてもよい。また、第４及び第５実施形態では、２枚のレンズシート１６Ａ，１６Ｂを用いたが、３枚以上のレンズシートを積層してもよい。
【０１５３】
また、上記第４及び第５実施形態では、第１乃至第３実施形態による照明装置のレンズシート１６として２枚のレンズシート１６Ａ，１６Ｂを用いたが、照明装置の光源として、必ずしも第１乃至第３実施形態による照明装置の光源（導光板１２及びＬＥＤ１４）を使用する必要はない。平面状の発光面を有する光源上に第４及び第５実施形態に示す２枚のレンズシート１６Ａ，１６Ｂを配置することにより、第４及び第５実施形態と同様の発光模様を実現しうる照明装置を実現することができる。
【０１５４】
以上の実施形態に関し、更に以下の付記を開示する。
【０１５５】
（付記１）  平板状の導光板と、
前記導光板の側面に設けられ、前記側面から前記導光板内に光を入射する光源と、
前記導光板の一の表面上に配置されたレンズシートとを有し、
前記導光板は、一の表面に、前記光源から発せられて前記導光板内を伝搬する前記光を、前記表面に対して全反射臨界角より大きい角度で反射するプリズムを有し、
前記レンズシートは、前記プリズムによって反射され前記導光板から出射された前記光を、一旦集光してから発散する
ことを特徴とする照明装置。
【０１５６】
（付記２）  付記１記載の照明装置において、
前記レンズシートは、前記導光板の第１の表面上に配置され、
前記プリズムは、前記第１の表面と対向する前記導光板の第２の表面に形成されている
ことを特徴とする照明装置。
【０１５７】
（付記３）  付記１記載の照明装置において、
前記プリズムは、前記導光板の前記第１の表面に形成され、
前記レンズシートは、前記プリズムが形成された前記導光板の前記第１の表面上に配置され、
前記第１の表面と対向する前記導光板の第２の表面上に、前記プリズムによって反射された前記光を再び反射して前記導光板の前記第１の表面側から出射する反射シートを更に有する
ことを特徴とする照明装置。
【０１５８】
（付記４）  付記１乃至３のいずれか１項に記載の照明装置において、
前記レンズシートは、複数の球面レンズが格子状に配置されたレンズアレイシートである
ことを特徴とする照明装置。
【０１５９】
（付記５）  付記１乃至３のいずれか１項に記載の照明装置において、
前記レンズシートは、複数のシリンドリカルレンズが平行に配置されたレンチキュラレンズシートである
ことを特徴とする照明装置。
【０１６０】
（付記６）  付記１乃至５のいずれか１項に記載の照明装置において、
前記プリズムは、前記導光板の前記表面の一部の領域に形成されている
ことを特徴とする照明装置。
【０１６１】
（付記７）  付記６記載の照明装置において、
前記レンズシートは、前記プリズムの形成された領域に対応した前記導光板の前記表面の領域上に選択的に形成されている
ことを特徴とする照明装置。
【０１６２】
（付記８）  付記１乃至７のいずれか１項に記載の照明装置において、
前記プリズムは、前記光源から発せられた前記光の伝搬方向に対して交差する方向の溝によって形成されており、前記伝搬方向から入射した前記光を選択的に反射する
ことを特徴とする照明装置。
【０１６３】
（付記９）  付記８記載の照明装置において、
前記光の前伝搬方向が同じである複数の前記光源を有する
ことを特徴とする照明装置。
【０１６４】
（付記１０）  付記８記載の照明装置において、
前記光の前記伝搬方向が異なる複数の前記光源を有し、
前記プリズムは、複数の前記光源に対応した複数の領域を有し、複数の前記領域のそれぞれが、対応する前記光源から発せられた前記光を選択的に反射する
ことを特徴とする照明装置。
【０１６５】
（付記１１）  付記９又は１０記載の照明装置において、
複数の前記光源の発光色及び／又は点滅のタイミングを制御する制御回路を更に有する
ことを特徴とする照明装置。
【０１６６】
（付記１２）  平面状の発光面を有する光源と、
前記光源上に形成された第１のレンズシートと、
前記第１のレンズシート上に形成された第２のレンズシートとを有し、
前記第１のレンズシートに形成されたレンズ構造体の配列に対して、前記第２のレンズシートに形成されたレンズ構造体の配列がずれるように、前記第１のレンズシートと前記第２のレンズシートとが重ね合わされている
ことを特徴とする照明装置。
【０１６７】
（付記１３）  付記１２記載の照明装置において、
前記第１のレンズシートに対する前記第２のレンズシートの位置を変化するレンズシート駆動機構を更に有する
ことを特徴とする照明装置。
【０１６８】
（付記１４）  平板状の導光板と、前記導光板の側面に設けられ、前記側面から前記導光板内に光を入射する光源と、前記導光板の一の表面上に配置されたレンズシートとを有し、前記導光板は、一の表面に、前記光源から発せられて前記導光板内を伝搬する前記光を、前記表面に対して全反射臨界角より大きい角度で反射するプリズムを有し、前記レンズシートは、前記プリズムによって反射され前記導光板から出射された前記光を、一旦集光してから発散する照明装置と、
前記照明装置の前記光源の発光色及び／又は点滅のタイミングを制御する制御回路と
を有することを特徴とする電子機器。
【図面の簡単な説明】
【０１６９】
【図１】図１は、第１実施形態による照明装置の構造を示す斜視図である。
【図２】図２は、第１実施形態による照明装置のレンズシートの構造を示す斜視図（その１）である。
【図３】図３は、第１実施形態による照明装置のレンズシートの構造を示す斜視図（その２）である。
【図４】図４は、第１実施形態による照明装置のプリズムの構造を示す図である。
【図５】図５は、第１実施形態による照明装置の動作を説明する図（その１）である。
【図６】図５は、第１実施形態による照明装置の動作を説明する図（その２）である。
【図７】図５は、第１実施形態による照明装置の動作を説明する図（その３）である。
【図８】図８は、他の照明装置の構造を示す断面図及び平面図（その１）である。
【図９】図９は、他の照明装置の構造を示す断面図及び平面図（その２）である。
【図１０】図１０は、第１実施形態の変形例による照明装置の構造を示す斜視図である。
【図１１】図１１は、第１実施形態による照明装置の第１の駆動例を示すタイムチャートである。
【図１２】図１２は、第１実施形態による照明装置の第１の駆動例を示す平面図である。
【図１３】図１３は、第１実施形態による照明装置の第２の駆動例を示すタイムチャートである。
【図１４】図１４は、第１実施形態による照明装置の第２の駆動例を示す平面図である。
【図１５】図１５は、第１実施形態による照明装置の第３の駆動例を示すタイムチャートである。
【図１６】図１６は、第１実施形態による照明装置の第３の駆動例を示す平面図である。
【図１７】図１７は、第１実施形態による照明装置の第４の駆動例を示すタイムチャートである。
【図１８】図１８は、第１実施形態による照明装置の第４の駆動例を示す平面図である。
【図１９】図１９は、第１実施形態による照明装置の第５の駆動例を示すタイムチャートである。
【図２０】図２０は、第１実施形態による照明装置の第５の駆動例を示す平面図である。
【図２１】図２１は、第２実施形態による照明装置の構造を示す斜視図である。
【図２２】図２２は、第２実施形態による照明装置の動作を説明する図である。
【図２３】図２３は、第３実施形態による照明装置の構造を示す斜視図である。
【図２４】図２４は、第３実施形態の変形例による照明装置の構造を示す平面図である。
【図２５】図２５は、第３実施形態による照明装置の第１の駆動例を示すタイムチャートである。
【図２６】図２６は、第３実施形態による照明装置の第１の駆動例を示す平面図である。
【図２７】図２７は、第３実施形態による照明装置の第２の駆動例を示すタイムチャートである。
【図２８】図２８は、第３実施形態による照明装置の第２の駆動例を示す平面図である。
【図２９】図２９は、第３実施形態による照明装置の第３の駆動例を示すタイムチャートである。
【図３０】図３０は、第３実施形態による照明装置の第３の駆動例を示す平面図である。
【図３１】図３１は、第４実施形態による照明装置の構造を示す斜視図である。
【図３２】図３２は、第４実施形態による照明装置のレンズシートの構造を示す斜視図及び平面図である。
【図３３】図３３は、第４実施形態による照明装置内における光の伝搬方向を模式的に示す図である。
【図３４】図３４は、２枚のレンズシートの位置関係をずらしたときの状態を示す模式図（その１）である。
【図３５】図３５は、第４実施形態による照明装置において２枚のレンズシートの位置関係を変化したときの発光状態の変化を示す図（その１）である。
【図３６】図３６は、２枚のレンズシートの位置関係をずらしたときの状態を示す模式図（その２）である。
【図３７】図３７は、第４実施形態による照明装置において２枚のレンズシートの位置関係を変化したときの発光状態の変化を示す図（その２）である。
【図３８】図３８は、第４実施形態による照明装置におけるレンズシートの配置例を示す斜視図（その１）である。
【図３９】図３９は、第４実施形態による照明装置におけるレンズシートの配置例を示す斜視図（その２）である。
【図４０】図４０は、第４実施形態による照明装置における一体型のレンズシートの例を示す斜視図である。
【図４１】図４１は、レンズシートの他の例を示す平面図（その１）である。
【図４２】図４２は、レンズシートの他の例を示す平面図（その２）である。
【図４３】図４３は、レンズシートの他の例を示す平面図（その３）である。
【図４４】図４４は、第４実施形態による照明装置の第１の駆動例を示す平面図である。
【図４５】図４５は、第４実施形態による照明装置の第２の駆動例を示す平面図である。
【図４６】図４６は、第４実施形態による照明装置の第３の駆動例を示す平面図である。
【図４７】図４７は、第５実施形態による照明装置の構造を示す概略図である。
【図４８】図４８は、第５実施形態による照明装置におけるレンズシートの駆動例を示す概略図である。
【図４９】図４９は、第６実施形態による電子機器の構造及び動作を説明する斜視図（その１）である。
【図５０】図３２は、第６実施形態による電子機器の構造及び動作を説明する斜視図（その２）である。
【図５１】図３３は、第６実施形態による電子機器の構造及び動作を説明する斜視図（その３）である。
【符号の説明】
【０１７０】
１０…照明装置
１２…導光板
１４…ＬＥＤ
１６…レンズシート
１８…プリズム
２０…制御回路
２２…溝
２２ａ，２２ｂ…溝の斜面
２４…外装部品
２６…光線
２８…反射拡散シート
３０…可動機構
３２…駆動回路
３４…支持ピン
４０…携帯電話機
４２…第１筐体
４４…第２筐体
４６…操作部
４８…表示部
５０…発光部
【図１】
2010034017.tif 000003
【図２】
2010034017.tif 000004
【図３】
2010034017.tif 000005
【図４】
2010034017.tif 000006
【図５】
2010034017.tif 000007
【図６】
2010034017.tif 000008
【図７】
2010034017.tif 000009
【図８】
2010034017.tif 000010
【図９】
2010034017.tif 000011
【図１０】
2010034017.tif 000012
【図１１】
2010034017.tif 000013
【図１２】
2010034017.tif 000014
【図１３】
2010034017.tif 000015
【図１４】
2010034017.tif 000016
【図１５】
2010034017.tif 000017
【図１６】
2010034017.tif 000018
【図１７】
2010034017.tif 000019
【図１８】
2010034017.tif 000020
【図１９】
2010034017.tif 000021
【図２０】
2010034017.tif 000022
【図２１】
2010034017.tif 000023
【図２２】
2010034017.tif 000024
【図２３】
2010034017.tif 000025
【図２４】
2010034017.tif 000026
【図２５】
2010034017.tif 000027
【図２６】
2010034017.tif 000028
【図２７】
2010034017.tif 000029
【図２８】
2010034017.tif 000030
【図２９】
2010034017.tif 000031
【図３０】
2010034017.tif 000032
【図３１】
2010034017.tif 000033
【図３２】
2010034017.tif 000034
【図３３】
2010034017.tif 000035
【図３４】
2010034017.tif 000036
【図３６】
2010034017.tif 000037
【図３８】
2010034017.tif 000038
【図３９】
2010034017.tif 000039
【図４０】
2010034017.tif 000040
【図４１】
2010034017.tif 000041
【図４２】
2010034017.tif 000042
【図４３】
2010034017.tif 000043
【図４４】
2010034017.tif 000044
【図４５】
2010034017.tif 000045
【図４６】
2010034017.tif 000046
【図４７】
2010034017.tif 000047
【図４８】
2010034017.tif 000048
【図４９】
2010034017.tif 000049
【図５０】
2010034017.tif 000050
【図５１】
2010034017.tif 000051
【図３５】
2010034017.tif 000052
【図３７】
2010034017.tif 000053